(57)【要約】【課題】  トランクの部品点数を低減できるトランク付きエレベーターを提供する。【解決手段】  トランク７は、乗りかご内から開閉可能な扉１１ａ，１１ｂと、扉を固定するための部品である錠１８と、扉のがたつきを防止するための部品である磁石２１ａ，２１ｂと、扉が閉じているか否かを検知するための部品である安全スイッチとを有するものであり、部品の取付け部や部品の当接部が集約されるブラケット２２，２３，２４を有する。【選択図】図３
2015151217.tif 000002
【特許請求の範囲】
【請求項１】
乗りかごにトランクを備え、前記トランクは、乗りかご内から開閉可能な扉と、前記扉を固定するための部品と、前記扉のがたつきを防止するための部品と、前記扉が閉じているか否かを検知するための部品とを備えるエレベーターにおいて、
前記トランクは、前記各部品のいずれかを取り付ける取り付け部と前記各部品のいずれか当接する当接部を有する第１のブラケット、あるいは前記各部品の内の複数が当接する複数の当接部を有する第２のブラケット、もしくは前記各部品の内の複数を取り付ける複数の取付け部を有する第３のブラケットを備えることを特徴とするエレベーター。
【請求項２】
請求項１において、前記第１のブラケットは、前記がたつきを防止するための前記部品が当接する当接部と、前記扉が閉じているか否かを検知するための前記部品とが取り付けられる取付け部を有し、前記トランクの天板部に設けられることを特徴とするエレベーター。
【請求項３】
請求項２において、前記第１のブラケットは、一枚の板状部材を折り曲げたものであって、前記折り曲げによって形成される前記扉に対向する面に、前記がたつきを防止するための前記部品が当接する前記当接部と前記扉が閉じているか否かを検知するための前記部品が取り付けられる前記取り付け部を有し、かつ前記トランクの天板部の下側に設けられることを特徴とするエレベーター。
【請求項４】
請求項１乃至３のいずれか一項において、前記がたつきを防止するための前記部品は磁石またはゴム材であり、前記扉が閉じているか否かを検知するための前記部品は安全スイッチであることを特徴とするエレベーター。
【請求項５】
請求項１において、前記扉は両開き可能な左右一対の扉からなり、前記第２のブラケットは、前記左右一対の扉の一方に取り付けられる前記扉を固定するための前記部品と前記扉のがたつきを防止するための前記部品とが当接する複数の当接部を有するものであって、前記左右一対の扉の他方に設けられることを特徴とするエレベーター。
【請求項６】
請求項５において、前記第２のブラケットは、前記扉が閉じている場合における前記左右一対の扉の重なり部に設けられることを特徴とするエレベーター。
【請求項７】
請求項５または請求項６において、前記扉を固定するための前記部品は錠であり、前記扉のがたつきを防止するための前記部品は磁石またはゴム材であることを特徴とするエレベーター。
【請求項８】
請求項１において、前記第３のブラケットは、前記がたつきを防止するための前記部品が複数取り付けられる複数の取り付け部を有し、前記扉の折り返し部からなることを特徴とするエレベーター。
【請求項９】
請求項８において、前記がたつきを防止するための前記部品は、磁石およびゴム材であることを特徴とするエレベーター。
【発明の詳細な説明】
【技術分野】
【０００１】
本発明は、乗りかごにトランクを備えるエレベーターに関する。
【背景技術】
【０００２】
昇降路内を昇降移動するエレベーターの乗りかごにおいて、荷物を入れるためのトランクが並設されるものが知られている（例えば、特許文献１参照）。このトランクは、乗りかご外に位置し、乗りかごの乗降口と対向するかご背面側において乗りかごと接続される。トランクには乗りかご内から開閉可能な扉が設けられ、この扉を開放して、トランク内に荷物あるいはその一部を収納する。例えば、トランク内には、救急用具やその他緊急時に使用する道具を収納したり、エレベーターで運搬する長尺物の一部を収納したりする。
【先行技術文献】
【特許文献】
【０００３】
【特許文献１】特開２０１１−１５２９９０号公報
【発明の概要】
【発明が解決しようとする課題】
【０００４】
図４は、上述したような従来のエレベーター用トランクの要部構成を示す。なお、本図においては、トランクの天板部と左右一対の扉を示す。
【０００５】
図４に示すトランク天板９と、トランクの側面および背面に位置する図示されないトランク側面側板およびトランク背面側板と、図示されない床部とが、ボルトなどにより互いに固定され、箱状のトランクが構成される。さらに、トランクには乗りかご内から開閉可能な左右一対のトランク扉１１ａ，１１ｂが設けられる。
【０００６】
図４が示すように、トランク天板９にはトランク扉１１ａ，１１ｂが閉じていることを検知する安全スイッチ１２が設けられる。この安全スイッチ１２は、取り付け用ブラケット１３に固定され、カバー２０で覆われる。
【０００７】
図４に示すように従来のトランクでは、左右の扉を固定するための部品（ネジ１６）、閉じた状態での扉のがたつきを防止するための部品（磁石１７ａ，１７ｂ、戸当たりゴム２１ａ，２１ｂ、ボルト２５）、扉が閉じているか否かを検知する部品（安全スイッチ１２）などの扉まわりの部品が、別々の場所に各々専用の取り付け部品（取り付けブラケット１３、ボルト挿入プレート２６、安全スイッチ用当て金２７、安全スイッチ用当て金取り付けブラケット２８、戸当たりゴム取り付けブラケット２９）を用いて取り付けられる。そのため、部品点数が多く、組立作業に要する時間が増大するという問題がある。
【０００８】
そこで、本発明は、トランクの部品点数を低減できるエレベーターを提供する。
【課題を解決するための手段】
【０００９】
上記課題を解決するために、本発明によるエレベーターは、乗りかごにトランクを備え、トランクは、乗りかご内から開閉可能な扉と、扉を固定するための部品と、扉のがたつきを防止するための部品と、扉が閉じているか否かを検知するための部品とを備えるものであって、トランクは、各部品のいずれかを取り付ける取り付け部と各部品のいずれか当接する当接部を有する第１のブラケット、あるいは各部品の内の複数が当接する複数の当接部を有する第２のブラケット、もしくは各部品の内の複数を取り付ける複数の取付け部を有する第３のブラケットを備える。
【発明の効果】
【００１０】
本発明によれば、部品の取付け部および部品の当接部、または複数の部品が当接する複数の当接部、もしくは複数の部品を取り付ける複数の取付け部を、一つのブラケットに集約することにより、トランクの部品点数が低減できる。このため、トランクを含むエレベーターの組立作業に要する時間またはコストを低減できる。
【００１１】
上記した以外の課題、構成および効果は、以下の実施形態の説明により明らかにされる。
【図面の簡単な説明】
【００１２】
【図１】本発明の一実施形態であるトランク付きエレベーターの全体構成を示す概略図である。
【図２】図１におけるトランクの全体構成を示す斜視図である。
【図３】図２におけるトランクの要部構成を示す斜視図である。
【図４】従来のエレベーター用トランクの要部構成を示す。
【発明を実施するための形態】
【００１３】
以下、本発明の実施形態について、図面を用いて説明する。
【００１４】
図１は、本発明の一実施形態であるトランク付きエレベーターの全体構成を示す概略図である。なお、本図において、乗りかご部は、概略的な斜視図で示している。
【００１５】
図１に示すように、本実施形態のエレベーターにおいては、乗りかご２と荷物を収納するためのトランク７とが並設される。トランク７は、乗りかご２の外側に配置されるとともに、乗りかご２の奥行き方向でかごドア（図示せず）とは反対側である乗りかご背面側において、乗りかご２と接続される。また、トランク７の床面は、乗りかご２の床面と略同じ平面上に位置する。
【００１６】
トランク２には、乗りかご２との接続部において、乗りかご２の内部から開閉可能な左右一対の扉、すなわち図中の左扉１１ａおよび右扉１１ｂが設けられる。ここで、「左」および「右」は、それぞれ、乗りかご２内からトランク７を見た場合における「左側」および「右側」である。なお、本実施形態において、左扉１１ａおよび右扉１１ｂは、両開き戸式の扉である。左扉１１ａおよび右扉１１ｂの一方または両方を開いて、トランク内に荷物あるいはその一部を収納したり、トランク内に収納されている荷物などの物品を取り出したりする。また、左扉１１ａおよび右扉１１ｂには、これらの扉が閉じた状態において、錠１８がかけられる。錠１８が解錠されなければ、左扉１１ａおよび右扉１１ｂの閉状態が保持される。
【００１７】
図１に示すように、昇降路（図示せず）内において、乗りかご２と釣り合い錘３とが、主ロープ６によって、つるべ式に吊られる。主ロープ６は、昇降路内あるいは機械室（図示せず）に配置される巻上機のシーブ４および転向プーリ５に巻き掛けられ、シーブ４が発生する回転トルクによって摩擦駆動される。これにより、乗りかご２および釣り合い錘３が、昇降路内において昇降移動する。そして、乗りかご２と共にトランク７も昇降移動する。
【００１８】
図２は、図１におけるトランク７の全体構成を示す斜視図である。本図は、錠１８が解錠されて、右扉１１ｂが開放された状態を示す。
【００１９】
図２に示すように、トランク７の上部に位置するトランク天板９と、トランク７の側面に位置するトランク側面側板８と、トランク７の背面に位置するトランク背面側板１０と、トランク床１５とが、ボルトなどにより互いに固定され、トランク７の箱体部が構成される。箱体部の開口部、すなわちトランク７の荷物挿入口には、左右一対のトランク扉となる左扉１１ａおよび右扉１１ｂが設けられる。また、トランク７は、トランク床１５の床面すなわち荷物搭載面が乗りかご２の床面と略同一平面となるように、乗りかご２に並設される。
【００２０】
左扉１１ａと右扉１１ｂは、ヒンジあるいは蝶番によって、それぞれ、左右のトランク側面側板８の縁部に回動可能に取り付けられる。これにより、乗りかご２内において、トランク扉の開閉が可能になる。また、トランク扉が閉状態における左右扉の合わせ部において、左扉１１ａの縁部には右扉１１ｂが当接する戸当たり部となる板状部材、すなわち後述する扉押さえブラケット２４が設けられる。扉押さえブラケット２４は、細長い略矩形状であり、左扉１１ａの縁部のほぼ全長に沿って設けられる。なお、本実施形態において、扉押さえブラケット２４は、左扉１１ａを形成する鋼板の一部を折り曲げることによって形成される。
【００２１】
トランク扉の閉状態において、左扉１１ａと右扉１１ｂは、乗りかご２内から見て、右扉１１ｂが表側、左扉１１ａの一部である扉押さえブラケット２４が裏側になるように互いに一部重なり合う。このとき、右扉１１ｂの縁部裏面の一部が、扉押さえブラケット２４の平面部に当接する。そのような左扉１１ａと右扉１１ｂの重なり部分において、右扉１１ｂには錠１８が設けられ、扉押さえブラケット２４における錠１８に対向する部分には、錠１８と係合する係合部１９が設けられる。錠１８が係合部１９と係合することにより、右扉１１ｂおよび左扉１１ａの閉状態が保持される。なお、係合部１９は、左扉１１ａを構成する鋼板によって、扉押さえブラケット２４と一体形成される。
【００２２】
また、図２が示すように、トランク天板９の下側、すなわち、トランク７の上側から見てトランク天板９の裏面には、本図では図示されない安全スイッチ（図３の符号１２）が取り付けられると共に、左右扉の戸当たり部となる扉受けブラケット２２が設けられる。
【００２３】
図３は、図２におけるトランクの要部構成を示す斜視図である。なお、図３においては、トランクの天板部と左右一対の扉を示す。
【００２４】
図３に示すように、左扉１１ａのがたつきを抑えるために、左扉１１ａ上部裏面側の折り返し部分に、直接、磁石１７ａと戸当たりゴム２１ａが取り付けられる。この折り返し部分は、左扉１１ａの機械的強度を増すために設けられ、左扉１１ａを形成する鋼板の一部を折り曲げることによって形成される。従って、磁石１７ａおよび戸当たりゴム２１ａを取り付けるためのブラケットなどの個別部品を用いることなく、磁石１７ａおよび戸当たりゴム２１ａを左扉１１ａに取り付けることができる。
【００２５】
さらに、トランク天板９の下側に固定された扉受けブラケット２２に、右扉１１ｂが閉じているか否かを検知する安全スイッチ１２が設けられる。扉受けブラケット２２は、鋼板を折り曲げて形成される。左扉１１ｂは、閉状態において、この扉受けブラケット２２における左右扉に対向する折り曲げ面に当接する。この時、この折り曲げ面に、磁石１７ａが吸着すると共に、戸当たりゴム２１ａが接触する。これにより、左扉１１ａのがたつきを抑えることができる。さらに、右扉１１ｂの閉状態において、右扉１１ａ上部裏面側の折り返し部２３が、安全スイッチ１２に接触する。これによって、安全スイッチ１２がオン状態またはオフ状態になることにより、右扉１１ｂが閉じているか否かが検知できる。
【００２６】
上記のように、扉受けブラケット２２は、磁石１７ａの吸着板，戸当たりゴム２１ａの当て金，安全スイッチ１２の取り付け金具という三機能を有する。このような、複数機能を有する扉受けブラケット２２により、トランク７の部品点数が低減される。また、本実施形態では、扉受けブラケット２２が、トランク天板９の下側すなわちトランク７内に設けられるので、安全スイッチ１２が、個別の保護用カバーを用いることなく、塵埃や潤滑油などによる汚染から保護できる。これによっても、トランク７の部品点数が低減される。従って、トランク７が軽量化されたり、トランク７を含むエレベーターの組立作業に要する時間およびコストが低減されたりする。
【００２７】
また、扉受けブラケット２２がトランク７内に設置されるので、安全スイッチ１２の取り付けおよび調整を乗りかご２内から行うことができる。従って、安全スイッチ１２の取り付けおよび調整のための作業が容易になる。
【００２８】
図３に示すように、右扉１１ｂのがたつきを抑えるために、右扉１１ｂ上下部裏面の戸当たり側に折り返し部２３を設け、各折り返し部２３に磁石１７ｂと戸当たりゴム２１ｂを取り付ける。すなわち、折り返し部２３は、磁石１７ｂの取り付け部と戸当たりゴム２１ｂの取り付け部を備えるブラケットとして機能する。従って、磁石１７ｂおよび戸当たりゴム２１ｂを取り付けるための個別のブラケットを用いることなく、磁石１７ｂおよび戸当たりゴム２１ｂを右扉１１ｂに取り付けることができる。なお、折り返し部２３は、右扉１１ｂを構成する鋼板を部分的に折り曲げることによって形成される。
【００２９】
また、右扉１１ｂの戸当たり側中央に錠１８を設けるが、錠１８の施錠および解錠操作部は右扉１１ｂの乗りかご２側表面に露出しているので、乗りかご２内においてトランク扉を開閉できる。
【００３０】
右扉１１ｂの折り返し部２３は、扉の閉状態において、左扉１１ａの戸当たり側に設けられる扉押さえブラケット２４の平面部に当接する。この時、扉押さえブラケット２４の平面部に、磁石１７ｂが吸着すると共に、戸当たりゴム２１ｂが接触する。これにより、右扉１１ｂのがたつきが抑えられる。また、左右扉の閉状態において錠１８の施錠操作を行うと、錠１８のレバー部が扉押さえブラケット２４の係合部１９と係合する。これにより、左右扉の閉状態が保持される。さらに、扉押さえブラケット２４の下部は、トランク内側に向かってＬ字に曲がっており、Ｌ字部に設けられるねじ穴に、左扉１１ａをトランク床１５に固定するためのボルト２５を挿入する。
【００３１】
なお、本実施形態において、磁石１７ａ，１７ｂは矩形かつ平板状であり、戸当たりゴム２１ａ，２１ｂは円板状であるが、これらの形状に限定されるものではない。
【００３２】
上述したように、扉押さえブラケット２４は、磁石１７ｂの吸着板，戸当たりゴム２１ｂの当て金，錠１８との係合部，ボルト１９の挿入プレートという、四機能を有する。このような、複数機能を有する扉押さえブラケット２２により、トランク７の部品点数が低減される。従って、トランク７が軽量化されたり、トランク７を含むエレベーターの組立作業に要する時間およびコストが低減されたりする。
【００３３】
なお、本発明は前述した実施形態に限定されるものではなく、様々な変形例が含まれる。例えば、前述した実施形態は本発明を分かりやすく説明するために詳細に説明したものであり、必ずしも説明した全ての構成を備えるものに限定されるものではない。さらに、実施形態の構成の一部について、他の構成の追加・削除・置き換えをすることが可能である。
【００３４】
例えば、図２，３に示した扉押さえブラケット２２などは、トランク扉が片開き式であるトランクにも適用できる。また、扉のがたつきを抑えるための磁石や戸当たりゴムの個数は、扉の大きさなどに応じて適宜選択することができる。
【符号の説明】
【００３５】
２              乗りかご
３              釣り合い錘
４              シーブ
５              転向プーリ
６              主ロープ
７              トランク
８              トランク側面側板
９              トランク天板
１０              トランク背面側板
１１ａ            左扉
１１ｂ            右扉
１２              安全スイッチ
１３              取り付けブラケット
１４              乗りかご床
１５              トランク床
１６              ネジ
１７ａ，１７ｂ    磁石
１８              錠
１９              係合部
２０              カバー
２１ａ，２１ｂ    戸当たりゴム
２２              扉受けブラケット
２３              折り返し部
２４              扉押さえブラケット
２５              ボルト
２６              ボルト挿入プレート
２７              安全スイッチ用当て金
２８              安全スイッチ用当て金取り付けブラケット
２９              戸当たりゴム取り付けブラケット
【図１】
2015151217.tif 000003
【図２】
2015151217.tif 000004
【図３】
2015151217.tif 000005
【図４】
2015151217.tif 000006